(57)【特許請求の範囲】
【請求項１】
ストッパ（５）と、一端が該ストッパ（５）に連結され、他端が連結配置（８）に連結されたリニアアクタ（７）とを備える、薬物送達デバイス（１）用のストッパ配置であって、該ストッパ配置は、薬物送達デバイス（１）の容器（２）内に配設されるように構成され、ストッパ（５）および連結配置（８）の形状および／または材料は、リニアアクタ（７）が収縮しているときは連結配置（８）と容器（２）との間の第１の摩擦力がストッパ（５）と容器（２）との間の摩擦力よりも小さく、リニアアクタ（７）が拡張しているときは連結配置（８）と容器（２）との間の第２の摩擦力がストッパ（５）と容器（２）との間の摩擦力よりも大きいように構成されることを特徴とし、ここで、連結配置（８）は、遠位方向（Ｄ）に向かって先細になった少なくとも１つの楔状ブロック（８．１）と、近位方向（Ｐ）に向かって先細になった円錐状の内側リング（８．２）または円錐とを備え、楔状ブロック（８．１）は内側リング（８．２）または円錐と容器（２）との間に配置され、内側リング（８．２）または円錐は近位では近位プレート（８．３）に、遠位ではリニアアクタ（７）に取り付けられ、連結配置（８）は、リニアアクタ（７）の収縮時に内側リング（８．２）または円錐が少なくとも１つの楔状ブロック（８．１）に押し付けられていないとき、第１の摩擦力で容器（２）に係合するように構成され、内側リング（８．２）または円錐および楔状ブロック（８．１）は、リニアアクタ（７）が拡張しているとき、容器（２）に係合し、それによって摩擦量が第２の摩擦力まで増加する、前記ストッパ配置。
【請求項２】
楔状ブロック（８．１）は、圧縮ばねとして配置されるそれぞれのばね（８．４）によって、近位プレート（８．３）に対して遠位方向（Ｄ）で付勢されることを特徴とする、請求項１に記載のストッパ配置。
【請求項３】
リニアアクタ（７）はソレノイドを含むことを特徴とする、請求項１または２に記載のストッパ配置。
【請求項４】
リニアアクタ（７）はスピンドルおよびナットを備えた電気モータを含むことを特徴とする、請求項１または２に記載のストッパ配置。
【請求項５】
ストッパプレート（６）はストッパ（５）に近位で取り付けられ、リニアアクタ（７）はストッパプレート（６）に取り付けられることを特徴とする、請求項１〜４のいずれか１項に記載のストッパ配置。
【請求項６】
ストッパプレート（６）はストッパ（５）に解放可能に取り付けられることを特徴とする、請求項５に記載のストッパ配置。
【請求項７】
リニアアクタ（７）を制御するためのエネルギー供給ケーブル（９）は、近位プレート（８．３）および内側リング（８．２）を通されることを特徴とする、請求項１〜６のいずれか１項に記載のストッパ配置。
【請求項８】
少なくとも２つの楔状ブロック（８．１）が内側リング（８．２）の周りに同心で配置されることを特徴とする、請求項１〜７のいずれか１項に記載のストッパ配置。
【請求項９】
薬物を保持するためにキャビティ（３）を内部に画成する容器（２）と、該容器（２）の遠位端に配置されたノズル（４）とを備え、ここで、該ノズル（４）はキャビティ（３）と流体連通しており、請求項１〜８のいずれか１項に記載のストッパ配置が容器（２）内に配設される、薬物送達デバイス（１）。
【請求項１０】
楔状ブロック（８．１）は、圧縮ばねとして配置されるそれぞれのばね（８．４）によって、近位プレート（８．３）に対して遠位方向（Ｄ）で付勢され、そして楔状ブロック（８．１）を近位プレート（８．３）に向かって中立位置へと移動させるための移動補助具が配置されることを特徴とする、請求項９に記載の薬物送達デバイス（１）。
【請求項１１】
移動補助具は容器（２）の上に外部から配置可能なリング磁石を含むことを特徴とする、請求項１０に記載の薬物送達デバイス（１）。
【請求項１２】
移動補助具は、内側リング（８．２）上または近位プレート（８．３）上に配置される少なくとも１つのソレノイドを含むことを特徴とする、請求項１０に記載の薬物送達デバイス（１）。
【請求項１３】
移動補助具は、容器（２）の近位端を通して挿入可能な機械的または磁気的ツールを含むことを特徴とする、請求項１０に記載の薬物送達デバイス（１）。
【請求項１４】
容器（２）およびストッパ（５）は円形断面を有することを特徴とする、請求項９〜１３のいずれか１項に記載の薬物送達デバイス（１）。
【発明の詳細な説明】
【技術分野】
【０００１】
本発明は、薬物送達デバイス用のストッパ配置に関する。
【背景技術】
【０００２】
従来の薬物送達デバイスは、薬物を保持するためにキャビティを内部に画成する容器と、キャビティと流体連通しているノズル、たとえば容器の遠位端に配置された注射針と、薬物を変位させるための容器内に配設されたプランジャを備えたストッパとを備える。
【０００３】
特許文献１は、注射筒内で使用するためにプランジャロッドに取り付けるように適合されたストッパを開示している。ストッパは、開いた後端および閉じた前端を画成する本体を含む。開いた後端は、プランジャロッドの前端取付け部分を受け入れるように適合される。ストッパはまた、閉じた前端に隣接して前記本体と一体的に形成されたコア部材を含む。コア部材は、かかる注射筒の出口開口部と共に明確なシールを作成するように適合されたプロファイルを有するノーズ部分を含む。
【先行技術文献】
【特許文献】
【０００４】
【特許文献１】米国出願公開ＵＳ２００８／０３００５５０Ａ１
【発明の概要】
【発明が解決しようとする課題】
【０００５】
本発明の１つの目的は、改善されたストッパ配置を提供することである。
【課題を解決するための手段】
【０００６】
その目的は、請求項１に記載のストッパ配置によって達成される。
【０００７】
本発明の好ましい実施形態は従属請求項で与えられる。
【０００８】
本発明によれば、薬物送達デバイス用のストッパ配置は、ストッパと、一端がストッパに連結され、他端が連結配置に連結されたリニアアクタ（ｌｉｎｅａｒ  ａｃｔｏｒ）とを備え、ストッパ配置は、薬物送達デバイスの容器内に配設されるように構成され、ストッパおよび連結配置の形状および／または材料は、リニアアクタが収縮しているときは連結配置と容器との間の第１の摩擦力がストッパと容器との間の摩擦力よりも小さく、リニアアクタが拡張しているときは連結配置と容器との間の第２の摩擦力がストッパと容器との間の摩擦力よりも大きいように構成される。
【０００９】
本発明によるストッパ配置は自動推進式であり、したがってプランジャハンドルが不要なので、薬物送達デバイスの全長を大幅に低減することが可能である。
【００１０】
ストッパの全調節範囲がリニアアクタおよび連結配置の上述の配置によって任意の数の小さい段階に分割されてもよいので、リニアアクタは調節範囲が小さい高精度のリニアアクタであってもよい。
【００１１】
例示的な一実施形態では、連結配置は、遠位方向に向かって先細になった少なくとも１つの楔状ブロックと、近位方向に向かって先細になった円錐状の内側リングとを備えてもよく、楔状ブロックは内側リングと容器との間に配置され、内側リングは近位では近位プレートに、遠位ではリニアアクタに取り付けられ、連結配置は、内側リングが少なくとも１つの楔状ブロックに押し付けられていないとき、第１の摩擦力で容器に係合するように構成される。リニアアクタが拡張しているとき、内側リングは少なくとも１つの楔状ブロックに押し付けられて容器を係合し、それによって摩擦量が第２の摩擦力まで増加する。第１の摩擦力は、リニアアクタの収縮時に連結配置がストッパに向かって引っ張られているときの、楔状ブロックと内側の容器の壁との間の力を含む。第１の摩擦力はまた、容器と接触していてもよい近位プレートの摩擦成分を含んでもよい。これは、容器内における連結配置の移動中に少なくとも時々生じてもよい。
【００１２】
容器内におけるストッパの摩擦力は、連結機構を解放するのに要する力、ならびに第１の摩擦力よりも大きいように構成される。しかし、容器内におけるストッパの摩擦力はまた、リニアアクタが拡張しているときの連結配置の第２の摩擦力よりも小さいように構成される。
【００１３】
例示的な一実施形態では、内側リングは円錐と置き換えられてもよい。しかし、内側リングによって長さを減少させることができる。
【００１４】
例示的な一実施形態では、楔状ブロックは、それぞれの付勢要素、たとえば圧縮ばねとして配置されるばねによって、近位プレートに対して遠位方向で付勢される。楔状ブロックは、同様に、ばねの代わりに切欠きまたはフックによって、近位プレートから離隔して保持されてもよい。代替実施形態では、内側リングの表面の切欠き、または内側リングの近位端から延在するフックが、楔状ブロックを保持するように構成されてもよい。したがって、近位プレートは不要である。
【００１５】
例示的な一実施形態では、リニアアクタはソレノイドを含む。
【００１６】
別の例示的な実施形態では、リニアアクタは、スピンドルおよびナットを備えた電気モータを備える。
【００１７】
例示的な一実施形態では、ストッパプレートはストッパに近位で取り付けられ、リニアアクタはストッパプレートに取り付けられる。ストッパプレートは、ストッパ配置を容器から除去できるように、ストッパに解放可能に取り付けられてもよい。したがって、容器が廃棄される一方でストッパ配置は再使用することができるので、廃棄物の量および環境フットプリントが低減される。
【００１８】
リニアアクタを制御するためのエネルギー供給ケーブルは、近位プレートおよび内側リングを通されてもよい。リニアアクタは、同様に、ストッパ配置内に配置された電池によって電力供給することができる。
【００１９】
例示的な一実施形態では、少なくとも２つの楔状ブロックが内側リングの周りに同心で配置される。
【００２０】
ストッパ配置は、薬物送達デバイスで用いられてもよく、薬物を保持するためにキャビティを内部に画成する容器と、容器の遠位端に配置されたノズルとを備え、ノズルはキャビティと流体連通しており、ストッパ配置は容器内に配設される。
【００２１】
例示的な一実施形態では、１つまたはそれ以上の楔状ブロックを近位プレートに向かって中立位置へと移動させるための移動補助具（ｒｅｍｏｖａｌ  ａｉｄ）が配置されてもよい。リニアアクタおよび連結配置を再使用するため、それらを容器の近位端から引き出さなければならない。この目的のため、楔状ブロックは、近位プレートおよび内側リングが近位方向で引っ張られたとき、容器の壁に割り込まないように、ばねの付勢に対抗して近位プレートに向かって中立位置へと移動させられる。
【００２２】
例示的な一実施形態では、移動補助具は、容器の表面に外部から配置可能なリング磁石を含む。
【００２３】
別の例示的な実施形態では、移動補助具は、内側リング上または近位プレート上に配置される少なくとも１つのソレノイドを含む。
【００２４】
別の例示的な実施形態では、移動補助具は、容器の近位端を通して挿入可能な機械的または磁気的ツールを含む。
【００２５】
一般的に、容器およびストッパは円筒状の断面を有する。しかし、角柱、長方形、正方形、または楕円形など、異なる断面が可能である。
【００２６】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２７】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２８】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００２９】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３０】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３１】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３２】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３３】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３４】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３５】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３６】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００３７】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３８】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００３９】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４０】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４１】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４２】
薬学的に許容される溶媒和物は、たとえば、水和物である。
【００４３】
本発明の適用可能性のさらなる範囲は、以下に与えられる詳細な説明から明白となるであろう。しかし、本発明の趣旨および範囲内にある様々な変更および修正が、この詳細な説明から当業者には明白となるため、詳細な説明および具体例は、本発明の好ましい実施形態を示す一方、単なる例証として与えられることを理解されたい。
【００４４】
本発明は、以下に与えられる詳細な説明および添付図面によって、より十分に理解されるであろう。図面は単なる例証として与えられ、したがって、本発明を限定するものではない。
【図面の簡単な説明】
【００４５】
【図１】薬物送達デバイスの概略縦断面図である。
【発明を実施するための形態】
【００４６】
図１は薬物送達デバイス１の概略縦断面図である。薬物送達デバイス１は、薬物を保持するためにキャビティ３を内部に画成する円筒状の容器２を備える。ノズル４は容器２の遠位端に配置され、ノズル４はキャビティ３と流体連通している。ノズル４は中空の注射針として配置されてもよい。キャビティ３は、ノズル４を通して薬物を変位させるために容器２内で軸線方向に移動させられてもよい、円筒状のストッパ５によって近位で境界を定められる。ストッパプレート６はストッパ５に近位で取り付けられる。リニアアクタ７は、ストッパプレート６と連結配置８との間で作用するように、ストッパプレート６から近位に配置される。連結配置８は容器２に動作可能に連結されるように配置される。連結配置８は、遠位方向Ｄに向かって先細になったいくつかの楔状ブロック８．１と、近位方向Ｐに向かって先細になった円錐状の内側リング８．２とを備え、楔状ブロック８．１は内側リング８．２の周りに同心で配置される。
【００４７】
内側リング８．２は、たとえば、内側リング８．２から、および楔状ブロック８．１から近位に配置された円筒状の近位プレート８．３に取り付けられる。近位プレート８．３は容器２内に配設される。連結配置８は、第１の摩擦力で容器２の壁に摩擦係合される。連結配置８と容器２の壁との間の第１の摩擦力は、ストッパ５と容器２の壁との間の摩擦力よりも著しく低い。各楔状ブロック８．１は、比較的弱い圧縮ばねとして配置されるそれぞれのばね８．４によって、近位プレート８．３に対して遠位方向Ｄで付勢される。ばね８．４は、近位プレート８．３に取り付けられ、楔状ブロック８．１および内側リング８．２を縮小するように働いてもよい。
【００４８】
リニアアクタ７に対するエネルギー供給ケーブル９は、容器２の近位端を通り、近位プレート８．３および内側リング８．２を通る。ケーブル９はまた、リニアアクタ７の移動を制御する役割を果たす。あるいは、リニアアクタ７に電力を供給するのに、電池が連結配置８内に供給される。この場合、ケーブル９は、リニアアクタ７に制御信号を供給するためにのみ使用される。別の例示的な実施形態では、制御信号はリニアアクタに無線で送られ、この場合、リニアアクタは無線送受信機を含む。したがって、ケーブルは不要である。
【００４９】
たとえばリニアアクタ７を作動させることによって、内側リング８．２を楔状ブロック８．１に対して近位方向Ｐに移動させた場合、楔状ブロック８．１および内側リング８．２は容器２の壁に押し込まれ、それによって連結配置８が、容器２の壁に対してストッパ５と容器２の壁との間の摩擦力よりも著しく大きい第２の摩擦力を有するように切り換わる。その結果、リニアアクタ７の近位端は容器２内で接地されるので、アクタ７がさらに拡張することによってストッパ５が壊れて容器の壁が緩み、結果として、アクタ７の拡張量に応じて薬物がキャビティ３からノズル４を通して変位される。一実施形態では、遠位方向Ｄに向かって先細になった円錐形の内表面を有するリングが、楔状ブロック８．１の代わりに配置されてもよい。しかし、この場合、摩擦力の関係を提供できるように、リングの材料は弾性である必要がある。
【００５０】
リニアアクタ７は、ソレノイド、またはスピンドルおよびナットを備えた電気モータを含んでもよい。
【００５１】
リニアアクタ７は、それを作動させる手法に応じて拡張し収縮するように配置されてもよい。
【００５２】
ストッパプレート６は、リニアアクタ７の収縮時に、リニアアクタ７の遠位端がストッパ５と容器２との間の摩擦を通して容器の壁内で接地されるとともに、リニアアクタ７の近位端が楔状ブロック８．１から離れる方向で内側リング８．２を引っ張り、それによって連結配置８を解放するように、ストッパ５に取り付けられる。容器２内のストッパ５の摩擦力は、連結機構８を解放するのに要する力、ならびにリニアアクタ７の収縮時にストッパ５に向かって引っ張られるときの容器２内の楔状ブロック８．１の摩擦力よりも著しく大きい。
【００５３】
ストッパ５とストッパプレート６との間の接続は、リニアアクタ７および連結配置８を再使用可能にするように、たとえば、スナップ式の連結によって解放可能であってもよい。リニアアクタ７および連結配置８を再使用するためには、それらを容器２の近位端Ｐから引き出さなければならない。この目的のため、楔状ブロック８．１は、近位プレート８．３および内側リング８．２が近位方向Ｐで引っ張られたとき、容器２の壁に割り込まないように、ばね８．４の付勢に対抗して近位プレート８．３に向かって中立位置へと移動させられる。楔状ブロック８．１のこの位置付けは、容器２の表面に外部から配置される、もしくは配置可能なリング磁石（図示なし）によって、または内側リング８．２上もしくは近位プレート８．３上に配置されるソレノイド（図示なし）によって達成されてもよい。あるいは、楔状ブロック８．１は、容器２の近位端を通して挿入される機械的または磁気的手段によって、中立位置へと移動させられてもよい。
【００５４】
例示的な一実施形態では、リニアアクタ７および連結配置８は再使用不可能または使い捨てである。この場合、リニアアクタ７をストッパ５に直接取り付けることができるので、ストッパプレート６を必要としない。
【００５５】
薬物送達デバイス１は、タンパク質、ワクチン、複合糖質、または成長ホルモンなどの液体薬物を送達するために適用されてもよい。
【００５６】
ストッパの全調節範囲がリニアアクタ７および連結配置８の上述の配置によって任意の数の小さい段階に分割されてもよいので、リニアアクタ７は調節範囲が小さい高精度のリニアアクタであってもよい。
【符号の説明】
【００５７】
１  薬物送達デバイス
２  容器
３  キャビティ
４  ノズル
５  ストッパ
６  ストッパプレート
７  リニアアクタ
８  連結配置
８．１  楔状ブロック
８．２  内側リング
８．３  近位プレート
８．４  ばね
９  エネルギー供給ケーブル
Ｄ  遠位方向
Ｐ  近位方向
【図１】
0006263174.tif 000002